(57)【特許請求の範囲】
【請求項１】
発振回路が内蔵されたプローブと、該プローブの上部に装着された超音波振動子が内蔵された超音波発生部と、該超音波発生部の上に塗布された超音波を伝達するジェルと、前記プローブに固定される樹脂ホルダと、該樹脂ホルダの嵌合孔に嵌合される側面が形成され、前記ジェルに接触される下面が形成され、上端に超音波を伝達する肌に合わせた形状に形成した突出部を設け、前記樹脂ホルダの勘合孔から着脱されるように構成された超音波伝達ヘッドとからなり、前記超音波伝達ヘッドの突出部を顔や皮膚に接触させて、顔や皮膚が超音波振動することにより、肌を引き締めるようにすることを特徴とする超音波美容器。
【請求項２】
前記超音波伝達ヘッドの突出部は先端が半球状に形成されていることを特徴とする請求項１記載の超音波美装置。
【請求項３】
前記超音波伝達ヘッドの突出部は顔の形状に合わせて斜めに形成されていることを特徴とする請求項１記載の超音波美容器。
【請求項４】
前記プローブと前記超音波発生部が分離されるように構成され、前記超音波伝達ヘッドを装着する前記樹脂ホルダが前記超音波発生部に固着されることを特徴とする請求項１記載の超音波美容器。
【発明の詳細な説明】
【技術分野】
【０００１】
本発明は、１つの超音波発生部に用途に合わせた形状の超音波超音波伝達ヘッドによって超音波を伝達する超音波美容器に関するものである。
【背景技術】
【０００２】
従来、超音波美容器としては、ヘッドに超音波振動子を装着し、発振器からの発振出力を超音波振動子に入力すると、超音波振動子から超音波振動が発生するので、この超音波振動を発生するヘッドを顔や皮膚に接触させて、顔や皮膚が超音波振動することにより、肌を引き締めるようにして、美容に役立てるようにしている。
【０００３】
しかしながら、このような従来の超音波美容では、異なった形状のヘッドに取り替える場合は、超音波振動子が装着されたヘッドを取り替えなければならず、ヘッドがコスト高になってしまい、又、ヘッドを何度も取り替えると、発振器が接続された接点と超音波振動子が接触された接点との間で接触不良を生じるという問題がある。
【特許文献１】特開平２００２−２４８１５１
【発明の開示】
【発明が解決しようとする課題】
【０００４】
解決しようとする問題点は、従来の超音波美容器では、超音波振動子とともにヘッドを取り替えるために、コスト高になるとともに、接点で接触不良を生じるという問題がある。
【課題を解決するための手段】
【０００５】
本発明では、発振回路が内蔵されたプローブと、該プローブの上部に装着された超音波振動子が内蔵された超音波発生部と、該超音波発生部の上に塗布された超音波を伝達するジェルと、前記プローブに固定される樹脂ホルダと、該樹脂ホルダの嵌合孔に嵌合される側面が形成され、前記ジェルに接触される下面が形成され、上端に超音波を伝達する肌に合わせた形状に形成した突出部を設け、前記樹脂ホルダの勘合孔から着脱されるように構成された超音波伝達ヘッドとからなり、前記超音波伝達ヘッドの突出部を顔や皮膚に接触させて、顔や皮膚が超音波振動することにより、肌を引き締めるようにするものであり、又、前記超音波伝達ヘッドの突出部は先端が半球状に形成されているものであり、さらに、前記超音波伝達ヘッドの突出部は顔の形状に合わせて斜めに形成されているものであり、又、前記プローブと前記超音波発生部が分離されるように構成され、前記超音波伝達ヘッドを装着する前記樹脂ホルダが前記超音波発生部に固着されるものである。
【発明の効果】
【０００６】
本発明の超音波美容器では、超音波振動子を内蔵した超音波発生部に超音波伝達ヘッドを接触させて装着するようにしたので、超音波伝達ヘッドの形状を接触させる肌の形状に併せて適宜変更することができ、超音波伝達ヘッドを安価に構成でき、さらに、超音波伝達ヘッドを交換しても、超音波振動子を電気的に発振回路から切り離すことがないので、接触不良を生じることがないという利点がある。
【発明を実施するための最良の形態】
【０００７】
本発明では、超音波発生部から超音波を発生し、発生された超音波は超音波伝達ヘッドを介して肌に伝達されるので、超音波振動を超音波伝達ヘッドの物質に応じて、その強弱を変更することができ、超音波伝達ヘッドの形状を任意に変更することができる。
【実施例】
【０００８】
図１は本発明の実施例の超音波美容器の側面断面図で、発振器を内蔵したプローブ１の上に超音波振動子を上部に装着した超音波発生部２を装着し、又、プローブ１の側部に樹脂ホルダ３の下部の固着部３ａが固着され、樹脂ホルダ３の上部の係合部３ｂに超音波伝達ヘッド４の側面の凹み４ａが係合されて固定され、超音波伝達ヘッド４の下面４ｂと超音波発生部２の上部との間に超音波を伝達するジェル５が塗布されている。
【０００９】
このように構成された超音波美容器では、プローブ１に内蔵した発振器を駆動して超音波発生部２の超音波振動子に発振出力を印加すると、超音波発生部２の超音波振動子から超音波が発生するので、その発生した超音波はジェル５を介して超音波伝達ヘッド４を通り、超音波伝達ヘッド４の突出部４ｃが接触されている肌を超音波振動することにより、肌を引き締める効果があるとともに、超音波伝達ヘッド４を樹脂ホルダ３から引き抜くことにより、簡単に取り外すことができ、図２に示すように、突出部４ｃが半球状に形成された超音波伝達ヘッド４や、図３に示すように、斜めに形成された突出部４ｃを持つ超音波伝達ヘッド４に取り替えることができるという利点がある。
【００１０】
図４は本発明の他の実施例の超音波美容器の側面断面図で、１はプローブ、２は超音波発生部、４は超音波伝達ヘッド、５は超音波を伝達するジェルで、これらの構成は上記実施例と同じであるので、説明は省略するが、本実施例では、プローブ１の発振器と超音波発生部２の超音波振動子とをコードで電気的に接続して、プローブ１と超音波発生部２を分離できるように構成し、樹脂ホルダ３の固定部３ａを超音波発生部２の側部に固定し、樹脂ホルダ３の係合部３ｂは上記実施例と同様に構成する。
【００１１】
このように構成された本実施例の超音波美容器では、超音波振動子が内蔵された超音波発生部２と超音波伝達ヘッド４を持って、超音波伝達ヘッド４の突出部４ｃを肌に接触させればよいので、超音波伝達ヘッド４と超音波発生部２を軽く持って超音波伝達ヘッド４の突出部４ｃを肌に接触させることができる。
【産業上の利用可能性】
【００１２】
なお、上記実施例において、超音波伝達ヘッド４の材質を変更することにより、超音波発生部２で発生した超音波の強度を簡単に変更して伝達するように構成することができる。
【図面の簡単な説明】
【００１３】
【図１】本発明の実施例の超音波美容器の側面断面図である。
【図２】超音波伝達ヘッドの構成を変更した超音波美容器の側面断面図である。
【図３】超音波伝達ヘッドの構成を変更した超音波美容器の側面断面図である。
【図４】本発明の他の実施例の超音波美容器の側面断面図である。
【符号の説明】
【００１４】
１                プローブ
２                超音波発生部
３                樹脂ホルダ
４                超音波伝達ヘッド
５                ジェル
【図１】
0004724884.tif 000002
【図２】
0004724884.tif 000003
【図３】
0004724884.tif 000004
【図４】
0004724884.tif 000005